(57)【特許請求の範囲】
【請求項１】
空気入りタイヤの加硫成形用金型に形成されたベントホール内に、中心部に貫通穴を備えたベントピースを埋設して成る加硫成形用金型であって、前記ベントピースは、長手方向を熱膨張率の異なる少なくとも二種類以上の耐熱性非接着材料で段階的または直線的に形成し、前記ベントホール内に、ベントピースを前記加硫成形用金型の内側が熱膨張率が小さくなるように位置させて埋設して成る空気入りタイヤの加硫成形用金型。
【請求項２】
前記ベントホールは、金型内面側を大径に形成すると共に、これに連続して成形用金型の背面側を小径となるように段状に形成した請求項１に記載の空気入りタイヤの加硫成形用金型。
【請求項３】
前記耐熱性非接着材料が、金属材料、セラミックス、樹脂材料、鉱石のうちの何れかから選ばれた少なくとも一つ以上の材料である請求項１または２に記載の空気入りタイヤの加硫成形用金型。
【請求項４】
前記ベントピースを、熱膨張率の異なる金属材料または樹脂材料で形成する請求項１，２または３に記載の空気入りタイヤの加硫成形用金型。
【請求項５】
前記ベントピースを、熱膨張率の異なる金属材料と樹脂材料とを組み合わせて形成した請求項１，２または３に記載の空気入りタイヤの加硫成形用金型。
【請求項６】
前記ベントピースを、一端側から他端側に向かって肉厚を変化させ、長さ方向において熱膨張率が異なるように構成した請求項１，２，３，４または５に記載の空気入りタイヤの加硫成形用金型。
【発明の詳細な説明】
【０００１】
【発明の属する技術分野】
この発明は、空気入りタイヤの加硫成形用金型に係わり、更に詳しくは成形タイヤの故障本数を低減させることが出来ると共に、金型のベントホールに対する加硫時の詰まりを無くしてメンテナンス回数を低減させることを可能とした空気入りタイヤの加硫成形用金型に関するものである。
【０００２】
【従来の技術】
一般に、タイヤ加硫成形用金型には、加硫時に未加硫タイヤ（グリーンタイヤ）と金型との間のエアーや、加硫時に発生するガス等を抜くために、ベントホールと呼称される気抜き穴（以下ベントホールと言う）が多数形成されている。
【０００３】
前記未加硫タイヤと金型との間に、エアーや加硫時に発生したガスが残った状態で加硫した場合に、エアー溜まり，またはガス溜まりによりタイヤ表面に凹部ができ、これが製品タイヤの故障（一般にライト故障と言われている）の原因となっている。
【０００４】
ところで、金型に加工した多数のベントホールには、加硫時にエアーやガスが抜けた後に溶融したゴムが流れ込み、これが図６に示すように、加硫成形後のタイヤＷの表面に多数のひげ状の突起物Ｓ（一般にスピューと呼称され、以下スピューと言う）として形成される。
【０００５】
従って、加硫成形後のタイヤＷの表面、特に踏面部Ｗａに形成されたスピューＳは、タイヤの外観向上等の目的から専用の機械等で除去する作業を行っており、またスピューＳの除去を容易にするためと外観向上等の目的から、前記ベントホールの内径を細くして対応している。
【０００６】
【発明が解決しようとする課題】
然しながら、ベントホールの径を細くし、タイヤＷの表面に形成されるスピューＳを小径のものにしようとした場合、加硫後に金型からタイヤＷを離型させる際、スピューＳの引っ張り強度がベントホールの内面との摩擦係数に対して不足し、タイヤ離型時にスピューＳが途中から切れてしまい、スピューＳの一部がベントホール内に残ってしまう。その結果、ベントホールが詰まり、加硫時にはエアーや加硫時に発生したガスが排出されずに、上記のようなタイヤのライト故障が発生する。
【０００７】
従って、このようなライト故障が起こらないようにするために、金型内面のクリーニングやベントホールを細いドリル等を用いて短期間にメンテナンスをする必要があり、このためタイヤ加硫の生産性を向上させることが出来ないと言う問題があった。
【０００８】
この発明の目的は、ベントホールの詰まりを防止してタイヤ加硫の生産性を向上させることが出来ると共に、メンテナンスを低減させ、製品タイヤの故障本数を低減させることが出来る空気入りタイヤの加硫成形用金型を提供することにある。
【００１１】
上記目的を達成するため、この発明の空気入りタイヤの加硫成形用金型は、空気入りタイヤの加硫成形用金型に形成されたベントホール内に、中心部に貫通穴を備えたベントピースを埋設して成る加硫成形用金型であって、前記ベントピースは、長手方向を熱膨張率の異なる少なくとも二種類以上の耐熱性非接着材料で段階的または直線的に形成し、前記ベントホール内に、ベントピースを前記加硫成形用金型の内側が熱膨張率が小さくなるように位置させて埋設したことを要旨とするものである。
【００１２】
このように、金型のベントホール内に、長手方向を熱膨張率の異なる耐熱性非接着材料で段階的または直線的に形成したベントピースを加硫成形用金型の内側が熱膨張率が小さくなるように位置させて埋設したことで、タイヤ離型時に、ベントホール内にひげ状の突起物の切断片が残ることなく完全に離脱させることが出来、この結果、ベントホールが詰まることがなく、金型のメンテナンスの回数を低減させ、製品タイヤの故障本数を低減させることが出来る。
【００１３】
【発明の実施の形態】
以下、添付図面に基づきこの発明の実施の形態を説明する。
【００１４】
なお、従来例と同一構成要素は、同一符号を付して説明は省略する。
【００１５】
図１は、この発明の一実施形態を示すタイヤ加硫成形用の分割金型の一部縦断斜視図を示し、この金型１のタイヤ踏面部（トレッド部）を成形する部分には、多数の分割されたピース２が配設され、このピース２の側面と、タイヤＷのショルダー部及びサイド部を成形する金型部分３には、未加硫タイヤ（グリーンタイヤ）と金型１との間のエアーや、加硫時に発生するガス等を抜くための多数のベントホール４が形成されている。
【００１６】
このベントホール４は、成形するタイヤの金型により異なるが、この発明の実施形態では、内径Ｄが1.0 mm〜3.0mm の円筒状の貫通孔が金型内面側１ａから背面側１ｂまで形成され、このベントホール４は、金型内面側１ａを大径に形成すると共に、これに連続して金型１の背面側１ｂが小径となるように段状に形成し、この段差部４ａに後述する２段構成の耐熱性非接着材料５ａ，５ｂから成る円筒状のベントピース５が係止できる構造になっている。
【００１７】
この発明の実施形態では、特にタイヤのショルダー部及びサイド部を成形する金型部分３のベントホール４に、図１及び図２に示すように、長手方向を熱膨張率の異なる２段構成の耐熱性非接着材料５ａ，５ｂから成るベントピース５が埋設されている。
【００１８】
前記ベントーピース５は、この実施形態では、前記ベントホール４に嵌合するように、外径1.0 mm〜3.0mm 、中心部の貫通孔６の内径が、1.0mm 以下、好ましくは、0.5mm 〜0.8mm 、全長が8.0mm 〜15mmの円筒状に形成され、前記耐熱性非接着材料５ａ，５ｂとしては、ステンレス等の金属、セラミックス、PTFE等の樹脂材料、鉱石のうちの何れかから選ばれた少なくとも一つ以上の材料、またはこれらを組み合わせて構成するものである。
【００１９】
なお、この実施形態のベントーピース５では、熱膨張率が小さい耐熱性非接着材料５ａとして、金属材料としてステンレス材料を使用し，また熱膨張率が大きい耐熱性非接着材料５ｂとして、樹脂材料としてフッ素系ポリテトラフルオロエチレン、またはパーフルオロアロキシレジン等を使用しているが、特にこのような材料には限定されるものではない。
【００２０】
更に、ベントーピース５の耐熱性非接着材料５ａ，５ｂの熱膨張の比率としては、１〜３割程度の相違した材料を組み合わせて使用することが好ましく、熱膨張率が小さい耐熱性非接着材料５ａは、長さ2.0mm 〜5.0mm に形成すると共に、金型１の内面側１ａに位置させ、熱膨張率が大きい耐熱性非接着材料５ｂは、ベントーピース５の全長（8.0mm 〜15mm）の５割以上に形成すると共に、金型１の背面側１ｂとなるように位置させて埋設させるものである。
【００２１】
また、この実施形態のベントピース５は、熱膨張率の異なる同径の耐熱性非接着材料５ａ，５ｂを直列に二段構成として形成してあるが、二段以上の構成にすることも可能であり、更に同一もしくは熱膨張率の異なる耐熱性非接着材料５ａ，５ｂの肉厚を長手方向に変化させて、加熱時に膨張率を変化させるように構成することも可能である。
【００２２】
以上のように、金型１のベントホール４を構成することで、常温時には図２に示すように、ベントピース５の耐熱性非接着材料５ａ，５ｂの貫通孔６の内径は同一径となっていても、加硫時には図３に示すように、耐熱性非接着材料５ａ，５ｂの熱膨張率の差によって、貫通孔６の内径は図の鎖線に示すように、金型１の背面側１ｂに行くに従って小径（細径）となる。
【００２３】
この結果、加硫時にタイヤＷのショルダー部及びサイド部Ｗｂに形成されるひげ状の突起物Ｓ（スピューＳ）は、図４及び図５に示すように、先端から基端部にかけて横断面積が拡大する、換言すれば先端が細く、基端部が太い突起物Ｓとなる。
【００２４】
従って、金型１から加硫成形されたタイヤＷを離型させる際、突起物Ｓの引っ張り強度がベントホール４の内面との摩擦係数に対して不足することがなくなり、タイヤ離型時に突起物Ｓが途中から切れてしまうと言う問題も解消され、突起物Ｓの一部がベントホール６内に残ってしまうと言うこともなくなるため、ベントホール６が詰まりもなくなり、加硫時にはエアーや加硫時に発生したガスは確実に排気され、タイヤのライト故障等も確実に防止させることが出来る。
【００２５】
なお、この実施形態では、タイヤの加硫成形用金型について説明したが、このような金型に限定されず、樹脂材料の成形型や、食品類の型等、あらゆる成形型に応用することも可能である。
【００２６】
【発明の効果】
この発明は、上記のように前記ベントピースは、長手方向を熱膨張率の異なる少なくとも二種類以上の耐熱性非接着材料で段階的または直線的に形成し、前記ベントホール内に、ベントピースを前記加硫成形用金型の内側が熱膨張率が小さくなるように位置させて埋設したので、タイヤ離型時に、ベントホール内にひげ状の突起物の切断片が残ることなく完全に離脱させることが出来、この結果、ベントホールが詰まることがなく、金型のメンテナンスの回数を低減させ、製品タイヤの故障本数を低減させることが出来る効果がある。
【図面の簡単な説明】
【図１】この発明の一実施形態を示すタイヤ加硫成形用の分割金型の一部縦断斜視図である。
【図２】この発明の常温時におけるベントホール内に埋設されたベントピースの断面図である。
【図３】この発明の加硫時におけるベントホール内に埋設されたベントピースの断面図である。
【図４】この発明の一実施形態を示すタイヤ加硫成形用金型で成形されたタイヤの断面図である。
【図５】タイヤのショルダー部及びサイド部に形成されたひげ状の突起物の拡大断面図である。
【図６】従来のタイヤ加硫成形用金型で成形されたタイヤの断面図である。
【符号の説明】
１  金型                        １ａ  金型内面側
１ｂ  背面側                        ２  ピース
３  金型部分                      ４  ベントホール
４ａ  段差部
５  ベントピース          ５ａ，５ｂ  耐熱性非接着材料
６  貫通孔                        Ｗ  タイヤ
Ｗａ  ショルダー部及びサイド部      Ｓ  ひげ状の突起物（スピュー）
【図１】
0004367600.tif 000002
【図２】
0004367600.tif 000003
【図３】
0004367600.tif 000004
【図４】
0004367600.tif 000005
【図５】
0004367600.tif 000006
【図６】
0004367600.tif 000007